(57)【要約】【課題】荷物の届け間違いを無くすことのできるラベル、及びそれを用いた被搬送物の管理方法を提供する。【解決手段】ラベル１０は、疑似接着された最表層１４と第二層１６で構成される。最表層１４には、出発地標識１８、往路用矢印２０、到着地標識２２が表示され、第二層１６には、出発地標識１８、復路用矢印２４、到着地標識２２が表示される。復路の際には、最表層１４が第二層１６から剥離される。【選択図】　　図２
2004125926.tif 000002
【特許請求の範囲】
【請求項１】
出発地と到着地とを往復する被搬送物に貼り付けられるラベルにおいて、
前記出発地を示す標識と、
前記到着地を示す標識と、
前記二つの標識の間に設けられ、前記出発地の標識から前記到着地の標識へ向かう往路方向と、前記到着地の標識から前記出発地の標識へ向かう復路方向とで向きの切り替えが可能な矢印と、
が表示されることを特徴とするラベル。
【請求項２】
前記ラベルは、剥離可能に接着された最表層と第二層とを備え、前記最表層の表面に前記往路方向の矢印が表示され、前記第二層の表面に前記復路方向の矢印が表示されることを特徴とする請求項１に記載のラベル。
【請求項３】
前記ラベルは、前記出発地の標識が表示された第１のラベル片と、前記到着地の標識が表示された第２のラベル片とから成ることを特徴とする請求項１または２に記載のラベル。
【請求項４】
出発地と到着地とを往復する被搬送物に、請求項１〜３に記載のラベルを貼り付けて前記被搬送物を管理する被搬送物の管理方法であって、
前記被搬送物の往路搬送時には、前記出発地の標識、前記到着地の標識、及び前記往路方向の矢印を前記ラベルによって表示するとともに、
前記被搬送物の復路搬送時には、前記往路方向の矢印の向きを切り替えることによって、前記復路方向の矢印を表示することを特徴とする被搬送物の管理方法。
【発明の詳細な説明】
【０００１】
【発明の属する技術分野】
本発明はラベル及び被搬送物の管理方法に係り、特に旅行用のスーツケースの管理方法、及びそのスーツケースに貼り付けられるラベルに関する。
【０００２】
【従来の技術】
旅行などで航空機を利用する際、スーツケースなどの大型、大重量の荷物は、機内への持ち込みができないため、搭乗前にカウンターで預けられ、飛行機の貨物室に搭載されて搬送される。その際、預けられた荷物を管理するため、行き先や預け主などの情報がバーコードとしてタグに記され、そのタグが荷物に取り付けられる。荷物を仕分ける際は、このバーコードから情報を読み取り、その情報に従って仕分けが行われる。
【０００３】
特許文献１には、荷物にタグを取り付ける代わりに、荷物にバーコードを直接記して荷物を管理する方法が記載されている。
【０００４】
【特許文献１】
特開平５−６８６０６号公報（第３頁）
【０００５】
【発明が解決しようとする課題】
しかしながら、バーコードを用いた従来の方法では、荷物が別の空港に到着するという届け間違いが頻繁に発生しているのが実状である。
【０００６】
その原因としては、荷物を行き先別に仕分けする際に、作業者がバーコードから読み取った情報に対して誤った仕分け作業をしたことが考えられる。さらに、荷物の届け先の情報を簡単に確認できないことも原因であると考えられる。
【０００７】
本発明はこのような事情に鑑みて成されたもので、荷物の届け間違いを無くすことのできるラベル、及びそれを用いた被搬送物の管理方法を提供することを目的とする。
【０００８】
【課題を解決するための手段】
請求項１に記載の発明は前記目的を達成するために、出発地と到着地とを往復する被搬送物に貼り付けられるラベルにおいて、前記出発地を示す標識と、前記到着地を示す標識と、前記二つの標識の間に設けられ、前記出発地の標識から前記到着地の標識へ向かう往路方向と、前記到着地の標識から前記出発地の標識へ向かう復路方向とで向きの切り替えが可能な矢印と、が表示されることを特徴としている。また、請求項２に記載の発明によれば、ラベルは、剥離可能に接着された最表層と第二層とを備え、前記最表層の表面に前記往路用の矢印が表示され、前記第二層の表面に前記復路用の矢印が表示されることを特徴としている。さらに、請求項３に記載の発明によれば、ラベルは、出発地の標識が表示された第１のラベル片と、到着地の標識が表示された第２のラベル片とから成ることを特徴としている。
【０００９】
請求項４に記載の発明は前記目的を達成するために、出発地と到着地とを往復する被搬送物に、請求項１または２に記載のラベルを貼り付けて前記被搬送物を管理する被搬送物の管理方法であって、前記被搬送物の往路搬送時には、前記出発地の標識、前記到着地の標識、及び前記往路方向の矢印を前記ラベルによって表示するとともに、前記被搬送物の復路搬送時には、前記往路方向の矢印の向きを切り替えることによって、前記復路方向の矢印を表示することを特徴としている。
【００１０】
請求項１及び請求項４に記載の発明によれば、被搬送物の往路搬送時に、出発地の標識、到着地の標識、及び往路方向の矢印をラベルに表示することによって、ラベルを一目見るだけで、被搬送物の搬送先を識別することができる。したがって、作業者がラベルを見て搬送先を確認しながら仕分け作業を行うことができるとともに、仕分けした後の被搬送物を簡単に確認することができるので、搬送先を間違える作業ミスを無くすことができる。
【００１１】
また、請求項１及び請求項４に記載の発明によれば、被搬送物の復路搬送時に、復路方向の矢印に切り替えることによって、復路方向の矢印、出発地の標識、及び到着地の標識をラベルに表示することができる。したがって、ラベルを一目見るだけで、被搬送物の搬送先を識別することができる。これにより、搬送先を間違える作業ミスを無くすことができる。
【００１２】
さらに、請求項１及び請求項４に記載の発明によれば、往路搬送時と復路搬送時で、矢印の向きを切り替えるだけなので、往路搬送時と復路搬送時で共通のラベルを使用することができる。
【００１３】
請求項２に記載の発明によれば、矢印ラベル部の最表層を剥がし取るだけで、往路方向の矢印から復路方向の矢印に切り替えることができる。
【００１４】
【発明の実施の形態】
以下添付図面に従って本発明に係るラベル及び被搬送物の管理方法の好ましい実施の形態について詳説する。
【００１５】
図１（ａ）、図１（ｂ）は、第１の実施形態のラベル１０の構成を示す斜視図である。これらの図に示すように、ラベル１０は二層構造（ただし、貼付前の台紙を入れると三層構造）になっている。すなわち、ラベル１０は、最表層１４と第二層１６とを重ね合わせて接着することにより構成されている。最表層１４と第二層１６とは、剥離可能な状態に接着されており、例えば、疑似接着されている。なお、疑似接着とは、剥離が可能であるとともに、剥離した最表層１４と第二層１６が再度接着しない接着である。
【００１６】
図１（ａ）に示すように、ラベル１０の最表層１４には、出発地を示す標識（以下、出発地標識という）１８と、往路用矢印２０と、到着地を示す標識（到着地標識）２２が並んで表示されている。出発地標識１８や到着地標識２２は、出発地や到着地を一目で識別できる標識であればよく、例えば国旗が表示される。また、往路用矢印２０は、出発地標識１８から到着地標識２２を指し示すように、すなわち往路方向を指し示すように形成されている。したがって、ラベル１０の最表層１４には、出発地標識１８、往路用矢印２０、到着地標識２２が表示されているので、ラベル１０の最表層１４を一目見るだけで、出発地から到着地に向かうことを視認することができる。
【００１７】
図１（ｂ）に示すように、ラベル１０の第二層１６には、出発地標識１８と、復路用矢印２４と、到着地標識２２が並んで表示されている。復路用矢印２４は、到着地標識２２から出発地標識１８を指すように、すなわち復路方向を指すように形成されている。したがって、ラベル１０の第二層１６を一目見るだけで到着地から出発地に向かうことを視認することができる。
【００１８】
次に上記の如く構成された第１の実施形態のラベル１０の作用について説明する。
【００１９】
図２に示すように、ラベル１０は、往路搬送される被搬送物、例えばスーツケース１２に貼り付けられる。ラベル１０の貼付位置は、スーツケース１２の搬送時に最も見やすい位置が好ましく、例えばスーツケース１２の最も広い側面に貼り付けられる。なお、スーツケース１２には、バーコードが印字されたタグ１３が取り付けられており、このバーコードを用いて仕分作業が管理される。
【００２０】
往路搬送の際、ラベル１０は、図１（ａ）に示すように、最表層１４が第二層１６に接着されている。したがって、ラベル１０の表面には、出発地標識１８、到着地標識２２、及び往路用矢印２０が表示されている。このため、ラベル１０が貼付されたスーツケース１２が、出発地から到着地へ搬送されるべきものであることを一目で確認することができる。これにより、仕分けを行う作業者が、スーツケース１２の搬送先をラベル１０を見て確認しながら、仕分け作業を行うことができる。また、仕分け後のスーツケース１２を、簡単に確認することができ、作業ミスを防止することができる。
【００２１】
一方、復路搬送の際は、最表層１４を剥がし取ってから使用する。これにより、図１（ｂ）に示すように、第二層１６が表れるので、ラベル１０の表面には、出発地標識１８、到着地標識２２のほかに、復路用矢印２４が表示される。このため、ラベル１０が貼付されたスーツケース１２が、到着地から出発地へ返送されるべきものであることを一目で確認することができる。これにより、作業者がスーツケース１２の搬送先を確認しながら作業を行うことができるとともに、仕分け作業後のスーツケース１２を簡単に確認することができ、作業ミスを防止することができる。
【００２２】
このように本実施の形態のラベル１０は、スーツケース１２に貼付することによって、スーツケース１２の搬送先を一目で識別することができ、荷物の届け間違いを防止することができる。
【００２３】
また、本実施の形態によれば、最表層１４を剥がし取るだけで、往路用矢印２０から復路用矢印２４に表示を切り替えることができる。これにより、往路と復路を一つのラベル１０で対処することができる。
【００２４】
なお、上述した実施の形態では、最表層１４全体を剥離するようにしたが、最表層のうち、往路用矢印２０が表示された部分のみを剥離するようにしてもよい。すなわち、図３に示すように、往路用矢印２０の両側の最表層１４に点線状の切り込み２６、２６を形成し、この切り込み２６、２６に沿って最表層１４を切断しながら第二層１６から剥離するようにしてもよい。この場合、切り込み２６の形状をスリット状としてもよい。
【００２５】
図４（ａ）、図４（ｂ）は本発明に係る第２の実施形態のラベルを示している。
【００２６】
これらの図に示すように、第２の実施形態は、分離されたラベル片２８と、ラベル片３０とから構成されている。ラベル片２８は、最表層３２と第二層３４を剥離可能に接着した二層構造になっており、その最表層３２には、図４（ａ）に示すように出発地標識１８と往路用矢印２０が表示されている。また、図４（ｂ）に示すように、第二層３４には、出発地標識１８と復路用矢印２４が表示されている。一方、ラベル片３０は単層構造になっており、その表面には、到着地標識２２が表示されている。
【００２７】
上記の如く構成された第２の実施形態は、図４（ａ）に示すように、ラベル片２８とラベル片３０とが並べて貼り付けられる。その際、ラベル片２８の最表層３２に記された往路用矢印２０が向いている方にラベル片３０を配置する。これにより、往路搬送の際に、搬送先を容易に視認することができる。
【００２８】
また、復路搬送の際は、ラベル片２８の最表層３２を剥がし取ることによって、図４（ｂ）に示すように復路用矢印２４を表示させる。これによって、復路搬送の場合に搬送先を容易に視認することができる。
【００２９】
上述した第２の実施形態は、出発地、或いは到着地が常に同じ場合に有利であり、ラベル片２８、ラベル片３０の一方を変えるだけで、複数回の使用が可能である。
【００３０】
なお、上述した第２の実施形態では、出発地標識１８が表示されたラベル片２８を二重構造としたが、到着地標識２２が表示されたラベル片３０を二重構造として往路用矢印２０と復路用矢印２４を表示するようにしてもよい。
【００３１】
また、往路用矢印２０や復路用矢印２４が表示された部分を、出発地標識１８や到着地標識２２から分離するようにしてもよい。すなわち、出発地標識１８が表示された単層構造のラベル片と、到着地標識２２が表示された単層構造のラベル片と、往路用矢印２０と復路用矢印２４が表示された二層構造のラベル片とを用いるようにしてもよい。この場合、二層構造のラベル片の代わりに、往路用矢印２０が表示された単層構造のラベル片を用いてもよく、往路搬送から復路搬送に切り替える際に、このラベル片を剥がして、矢印の方向が反転するように貼り直すとよい。その場合、ラベル片の裏面の粘着剤として、剥離可能で、且つ数回の再接着が可能なものを選択する必要がある。
【００３２】
図５（ａ）〜図５（ｃ）は、本発明に係る第３の実施形態のラベルを示している。
【００３３】
図５（ａ）に示すように、第３の実施形態は、二枚のラベル片３６、３８によって構成されている。このうち、一方のラベル片３６は、中央部に出発地標識１８が表示されており、その両隣に点線状の切り込み４０、４０がラベル片３６の幅方向に形成されている。また、ラベル片３６の両端部には、斜め方向に二本の点線状の切り込み４２、４４が斜め方向に形成されており、この斜め方向の切り込み４２、４４と、幅方向の切り込み４０によって三角形が形成されるようになっている。
【００３４】
ラベル片３８はラベル片３６と同様に構成されており、その中央部に到着地標識２２が表示されており、その両隣に点線状の切り込み４６、４６がラベル片３８の幅方向に形成されている。また、ラベル片３８の両端部には、斜め方向の点線状の切り込み４８、５０が形成され、幅方向の切り込み４６とともに、三角形が形成されている。
【００３５】
上記の如く構成された第３の実施形態では、二つのラベル片３６、３８を並べて貼り付ける。そして、ラベル片３６の端部のうち、ラベル片３８側の端部において、斜め方向の切り込み４２、４４に沿って切り取る。これにより、図５（ｂ）に示すように、ラベル片３６の端部にラベル片３８（すなわち、到着地標識２２）を指し示す三角形状が現れる。この端部形状が、第１、第２の実施形態における往路用矢印２０の代わりになり、一目でスーツケース１２の搬送先を確認することができる。
【００３６】
復路搬送の際、まず、ラベル片３６のラベル片３８側の端部を、図５（ｃ）に示すように、幅方向の切り込み４０に沿って切断し、除去する。次いで、ラベル片３８のラベル片３６側の端部において、斜めの切り込み線４８、５０で切断し、コーナー部を除去する。これにより、ラベル片３８の端部が、ラベル片３６（すなわち、出発地標識１８）を指し示す三角形状に形成される。したがって、この端部形状が復路用矢印２４の代わりになり、一目でスーツケース１２の搬送先を確認することができる。
【００３７】
このように第３の実施形態によれば、ラベル片３６或いはラベル片３８の一部を切り欠くことによって、往路用矢印１８や復路用矢印２２が現れるので、矢印を印刷する必要がなくなる。
【００３８】
また、ラベル片３６、３８の両端部に矢印を形成することが可能なので、ラベル片３６、３８を出発地用としても到着地用としても使用することができる。
【００３９】
さらに、第３の実施形態によれば、ラベル片３６、３８と同様に構成された三種類以上のラベル片を並べて使用することによって、経由地を介して搬送される場合にも対応することができる。
【００４０】
なお、上述した第１〜３の実施形態は、被搬送物がスーツケース１２の例であるが、出発地と到着地を往復する被搬送物であれば本発明を適用することができ、例えば、往復用の郵便物に貼り付けて使用することができる。
【００４１】
また、本発明は、出発地標識１８や到着地標識２２として国旗を表示したが、これに限定するものではなく、出発地や到着地が一目で認識できるもの、例えば、出発地や到着地が塗りつぶされた地図や、予め決められた国番号などであってもよい。
【００４２】
また、出発地標識１８や到着地標識２２の他に、別の情報（例えば、出発地や到着地の文字情報や識別用のバーコードなど）を同時に表示するようにしてもよい。
【００４３】
さらに、出発地標識１８や到着地標識２２は、予め印刷しても、或いは荷物の預かり時にタグ１３とともに印字するようにしてもよい。
【００４４】
【発明の効果】
以上説明したように本発明に係るラベル及び被搬送物の管理方法によれば、被搬送物の搬送先をラベルによって視認できるようにしたので、作業者が搬送先を確認しながら仕分け作業を行うことができるとともに、仕分けした後の被搬送物が正しく仕分けされているかどうかを簡単に確認することができ、搬送先を間違える作業ミスを無くすことができる。
【図面の簡単な説明】
【図１】本発明に係る第１の実施形態のラベルを示す図
【図２】第１の実施形態のラベルが貼り付けられたスーツケースの斜視図
【図３】切り込みが形成されたラベルを示す図
【図４】本発明に係る第２の実施形態のラベルを示す図
【図５】本発明に係る第３の実施形態のラベルを示す図
【符号の説明】
１０…ラベル、１２…スーツケース、１３…タグ、１４…最表層、１６…第二層、１８…出発地標識、２０…往路用矢印、２２…到着地標識、２４…復路用矢印、２６…切り込み、２８…ラベル片、３０…ラベル片、３２…最表層、３４…第二層、３６…ラベル片、３８…ラベル片、４０、４２、４４、４６、４８、５０…切り込み
【図１】
2004125926.tif 000003
【図２】
2004125926.tif 000004
【図３】
2004125926.tif 000005
【図４】
2004125926.tif 000006
【図５】
2004125926.tif 000007